(57)【特許請求の範囲】
【請求項１】
充電量に基づいて外部の制御対象部を動作させる駆動手段に対して蓄積された電圧を供給する蓄電手段と、
上記蓄電手段を充電する充電手段と、
上記蓄電手段への充電または上記蓄電手段からの放電のいずれもない状態が一定時間経過に上記蓄電手段が電気的に開放されているときの基準電圧と、上記蓄電手段への充電動作を制御する制御部を待機状態から非待機状態へ切り替える前の上記蓄電手段が電気的に開放されているときの基準電圧とを測定する測定手段と、
上記蓄電手段への充電または上記蓄電手段からの放電のいずれもない状態が一定時間経過に上記蓄電手段が電気的に開放されているときの基準電圧と、上記蓄電手段への充電動作を制御する制御部を待機状態から非待機状態へ切り替える直前の上記蓄電手段が電気的に開放されているときの基準電圧とに基づいて、
上記充電手段による上記蓄電手段への充電容量を算出する充電容量算出手段と、
上記蓄電手段が電気的に開放されているときの基準電圧に対する、充放電時の充電電流または充電電圧の変動のないときの上記充電容量値のデータを記憶する記憶手段と、
を備えた充電装置。
【請求項２】
充電量に基づいて外部の制御対象部を動作させる駆動手段に対して蓄電手段に蓄積された電圧を供給する蓄電ステップと、
上記蓄電手段を充電手段により充電する充電ステップと、
上記蓄電手段への充電または上記蓄電手段からの放電のいずれもない状態が一定時間経過に上記蓄電手段が電気的に開放されているときの基準電圧と、上記蓄電手段への充電動作を制御する制御部を待機状態から非待機状態へ切り替える前の上記蓄電手段が電気的に開放されているときの基準電圧とを測定する測定ステップと、
上記蓄電手段への充電または上記蓄電手段からの放電のいずれもない状態が一定時間経過に上記蓄電手段が電気的に開放されているときの基準電圧と、上記蓄電手段への充電動作を制御する制御部を待機状態から非待機状態へ切り替える直前の上記蓄電手段が電気的に開放されているときの基準電圧とに基づいて、上記充電手段による上記蓄電手段への充電容量を算出する充電容量算出ステップと、
上記蓄電手段が電気的に開放されているときの基準電圧に対する、充放電時の充電電流または充電電圧の変動のないときの上記充電容量値のデータを記憶する記憶ステップと、を備えた充電方法。
【請求項３】
充電量に基づいて制御対象部を動作させる駆動手段と、上記駆動手段に対して蓄積された電圧を供給する蓄電手段と、
上記蓄電手段を充電する充電手段と、
上記蓄電手段への充電または上記蓄電手段からの放電のいずれもない状態が一定時間経過に上記蓄電手段が電気的に開放されているときの基準電圧と、上記蓄電手段への充電動作を制御する制御部を待機状態から非待機状態へ切り替える前の上記蓄電手段が電気的に開放されているときの基準電圧とを測定する測定手段と、
上記蓄電手段への充電または上記蓄電手段からの放電のいずれもない状態が一定時間経過に上記蓄電手段が電気的に開放されているときの基準電圧と、上記蓄電手段への充電動作を制御する制御部を待機状態から非待機状態へ切り替える直前の上記蓄電手段が電気的に開放されているときの基準電圧とに基づいて、
上記充電手段による上記蓄電手段への充電容量を算出する充電容量算出手段と、
上記蓄電手段が電気的に開放されているときの基準電圧に対する、充放電時の充電電流または充電電圧の変動のないときの上記充電容量値のデータを記憶する記憶手段と、を備えた電子機器。
【発明の詳細な説明】
【０００１】
【発明の属する技術分野】
本発明は、蓄電池を装着および内蔵した充電装置の充電をする充電装置、充電方法および電子機器に関する。
【０００２】
【従来の技術】
従来、パーソナルコンピューターなどの電子機器では、本体に充電器および蓄電池（バッテリー）が内蔵されたバッテリーパックを装着していて、この蓄電池に対して充電器により充電して、充電された蓄電池の電圧を用いて電子機器を動作させるようにしていた。
【０００３】
【発明が解決しようとする課題】
上述した従来の電子機器では、バッテリーパックの蓄電池に対する充電器による充電容量算出において、充電動作終了直後に、蓄電池が電気的に開放されているときの電圧（ＯＣＶ）を図ることにより、容量を算出していたが、充電終了直後は、蓄電池（バッテリー）のセル電圧（ＯＣＶ）の波形には時間軸方向に尾引きが生じるため、充電動作終了直後にＯＣＶを測定して容量を算出すると、実際の容量との間にかなり誤差が生じるという不都合があった。
【０００４】
本発明は以上の点を考慮してなされたもので、充放電時の充電電流または充電電圧の変動のないときの充電容量値のデータを算出することができる充電装置、充電方法および電子機器を提案しようとするものである。
【０００５】
【課題を解決するための手段】
かかる課題を解決するため本発明の充電装置は、充電量に基づいて外部の制御対象部を動作させる駆動手段に対して蓄積された電圧を供給する蓄電手段と、上記蓄電手段を充電する充電手段と、上記蓄電手段への充電または上記蓄電手段からの放電のいずれもない状態が一定時間経過に上記蓄電手段が電気的に開放されているときの基準電圧と、上記蓄電手段への充電動作を制御する制御部を待機状態から非待機状態へ切り替える前の上記蓄電手段が電気的に開放されているときの基準電圧とを測定する測定手段と、上記蓄電手段への充電または上記蓄電手段からの放電のいずれもない状態が一定時間経過に上記蓄電手段が電気的に開放されているときの基準電圧と、上記蓄電手段への充電動作を制御する制御部を待機状態から非待機状態へ切り替える直前の上記蓄電手段が電気的に開放されているときの基準電圧とに基づいて、上記充電手段による上記蓄電手段への充電容量を算出する充電容量算出手段とを備えている。
そして、本発明の充電装置は、特に、上記蓄電手段が電気的に開放されているときの基準電圧に対する、充放電時の充電電流または充電電圧の変動のないときの上記充電容量値のデータを記憶する記憶手段を備えたものである。
【０００６】
また、本発明の充電方法は、充電量に基づいて外部の制御対象部を動作させる駆動手段に対して蓄電手段に蓄積された電圧を供給する蓄電ステップと、上記蓄電手段を充電手段により充電する充電ステップと、上記蓄電手段への充電または上記蓄電手段からの放電のいずれもない状態が一定時間経過に上記蓄電手段が電気的に開放されているときの基準電圧と、上記蓄電手段への充電動作を制御する制御部を待機状態から非待機状態へ切り替える前の上記蓄電手段が電気的に開放されているときの基準電圧とを測定する測定ステップと、上記蓄電手段への充電または上記蓄電手段からの放電のいずれもない状態が一定時間経過に上記蓄電手段が電気的に開放されているときの基準電圧と、上記蓄電手段への充電動作を制御する制御部を待機状態から非待機状態へ切り替える直前の上記蓄電手段が電気的に開放されているときの基準電圧とに基づいて、上記充電手段による上記蓄電手段への充電容量を算出する充電容量算出ステップとを備えている。
そして、本発明の充電方法は、特に、上記蓄電手段が電気的に開放されているときの基準電圧に対する、充放電時の充電電流または充電電圧の変動のないときの上記充電容量値のデータを記憶する記憶ステップを備えたものである。
【０００７】
また、本発明の電子機器は、充電量に基づいて制御対象部を動作させる駆動手段と、上記駆動手段に対して蓄積された電圧を供給する蓄電手段と、上記蓄電手段を充電する充電手段と、上記蓄電手段への充電または上記蓄電手段からの放電のいずれもない状態が一定時間経過に上記蓄電手段が電気的に開放されているときの基準電圧と、上記蓄電手段への充電動作を制御する制御部を待機状態から非待機状態へ切り替える前の上記蓄電手段が電気的に開放されているときの基準電圧とを測定する測定手段と、上記蓄電手段への充電または上記蓄電手段からの放電のいずれもない状態が一定時間経過に上記蓄電手段が電気的に開放されているときの基準電圧と、上記蓄電手段への充電動作を制御する制御部を待機状態から非待機状態へ切り替える直前の上記蓄電手段が電気的に開放されているときの基準電圧とに基づいて、上記充電手段による上記蓄電手段への充電容量を算出する充電容量算出手段とを備えている。
そして、本発明の電子機器は、特に、上記蓄電手段が電気的に開放されているときの基準電圧に対する、充放電時の充電電流または充電電圧の変動のないときの上記充電容量値のデータを記憶する記憶手段を備えたものである。
【０００８】
本発明の充電装置によれば、以下の作用をする。
充電手段で充電された蓄電手段の充電容量値を充電容量算出手段で計算する。この場合に、充電手段内の電流検出回路または電圧検出回路により蓄電手段の充電電流または充電電圧を測定することにより、充電手段による蓄電手段への充電容量を算出することができる。
【０００９】
本発明では、特に、蓄電手段が電気的に開放されているときの電圧を用いて、充放電時の充電電流または充電電圧の変動のないときの電圧値および電流相当値を測定手段で測定して、電圧値および電流相当値に基づいて充電容量算出手段により充電容量値を算出してデータを記憶手段に記憶するようにしている。
【００１０】
記憶手段に精度の高い充電容量値のデータが記憶されているので、この充電容量値のデータ、つまり、残容量に基づいて、充電容量値のデータが所定値よりも小さいときは、充放電切替回路により、蓄電手段への充電動作を行わせ、また、充電容量値のデータが所定値よりも大きいときは、蓄電手段から放電動作を行わせる。なお、充電動作は制御対象部を動作させる駆動手段の動作を停止して行い、放電動作は駆動手段の動作を実行して行う。
【００１１】
【発明の実施の形態】
以下、適宜図面を参照しながら本発明の実施の形態を詳述する。本実施の形態の充電装置は、蓄電池に対する充電器による充電容量算出を行うバッテリーパックについてものであり、このバッテリーパックを本体に装着した電子機器であるパーソナルコンピューターに適用されるものである。
【００１２】
図１は、本発明の実施の形態のノート型パーソナルコンピューターを示す外観斜視図である。図１において、本体１の所定の装着部に蓄電池としてのバッテリー（リチウムイオン電池）および充電器を内蔵したバッテリーパック４を装着する。なお、本体１の所定部分に充電器を内蔵してもよい。次に、本体１の充電器ＤＣ入力端子９にＡＣアダプター１０のＤＣ出力コード１１を差し込み、プラグ１２をＡＣ１００Ｖの家庭用電源コンセント１３に差し込む。これで接続が完了する。
【００１３】
上述した接続状態において、本体１の電源スイッチ６を「切」（ＯＦＦ）に切り替える。すると、バッテリー（蓄電池）に対して、充電器から充電が開始される。充電が開始すると、本体１のキーボード２の前方の表示部としてのバッテリーランプ８が点灯してバッテリー電圧の残量があることが表示される。なお、充電終了後に、本体１の電源スイッチ６を「入」（ＯＮ）に切り替えると、電源ランプ７が点灯する。
【００１４】
ここで、本実施の形態では、充電器で充電されたバッテリー（蓄電池）の充電容量値を計算する場合に、バッテリー（蓄電池）の充電電流または充電電圧を測定することにより、充電器によるバッテリー（蓄電池）への充電容量を算出する際に、バッテリー（蓄電池）が電気的に開放されているときの電圧（ＯＣＶ：Ｏｐｅｎ  Ｃｅｌｌ  Ｖｏｌｔａｇｅ）を用いて、充放電時の充電電流または充電電圧の変動のないときのＯＣＶを測定することにより、充電容量値を算出してデータをテーブルに記憶するようにしている。なお、本体側の充電器内で充電容量算出を行う場合には、ＯＣＶに基づく充電容量値は本体側の充電器とバッテリーパック４との通信を介して、演算されるようになされている。なお、充電器は本体側に限らず外部に設けても良い。この場合には、ＯＣＶに基づく充電容量値は外部の充電器とバッテリーパックとのマイコン間で通信を介して、演算される。
【００１５】
これにより、バッテリーおよび充電器を内蔵したバッテリーパック４におけるバッテリーの精度の高い充電容量池を算出して、所定の表示部に表示することにより具体的に知ることができる。なお、バッテリーパック４は、本体１とディスプレイ３との結合部分の辺に沿うようにして円筒型に設けたが、５に示すように、箱形にして本体１の後端部の空洞部に挿入するようにして設けても良い。
【００１６】
次に、図２を用いて、本実施の形態の充電装置が適用されるバッテリーおよび充電器の構成を説明する。図２において、充電器２０およびバッテリーセル（リチウムイオン電池）２３を含むバッテリー２１が図１に示したバッテリーパック４に相当する。なお、充電器２０をバッテリーパック４とは別に本体側または外部に設けても良い。バッテリー２１は、充放電切替回路２２と、バッテリーセル２３と、Ａ／Ｄ変換回路２４と、バッテリーマイコン（マイクロコンピュータ）と、マイコン２５内のテーブル２６と、ＯＣＶ測定手段２５ａと、充電容量算出手段２５ｂを有して構成される。ＤＣ入力端子９に、図１のＡＣアダプター１０のＤＣ出力コード１１が差し込まれる。
【００１７】
このバッテリーセル（リチウムイオン電池）２３は、充電器２０が簡易に構成でき、また、電池の特性を利用して電池電圧または充電電流を検出することにより、充電量をほぼ正確に表示することができる。このバッテリーセル（リチウムイオン電池）２３は、充電器２０内の定電流回路と定電圧回路によって簡単に充電することができる。また、バッテリーセル（リチウムイオン電池）２３における満充電の検出は、充電器２０内の電流検出回路または電圧検出回路における電流値または電圧値のいずれかにより検出することができる。また、バッテリーセル（リチウムイオン電池）２３における充電容量の算出は、充電器２０内の電流検出回路または電圧検出回路における電流値または電圧値のいずれかにより算出することができる。
【００１８】
ここで、本実施の形態では、上述したように、充電器２０で充電されたバッテリーセル（蓄電池）２３の充電容量値をバッテリーマイコン２５内の充電容量算出手段２５ｂで計算する。この場合に、充電器２０内の電流検出回路または電圧検出回路によりバッテリーセル２３（蓄電池）の充電電流または充電電圧を測定することにより、充電器２０によるバッテリーセル（蓄電池）２３への充電容量を算出することができる。
【００１９】
本実施の形態では、特に、バッテリーセル（蓄電池）２３が電気的に開放されているときの電圧（ＯＣＶ：Ｏｐｅｎ  Ｃｅｌｌ  Ｖｏｌｔａｇｅ）を用いて、充放電時の充電電流または充電電圧の変動のないときのＯＣＶおよび電流相当値をＡ／Ｄ変換回路２４を介してバッテリーマイコン２５内のＯＣＶ測定手段２５ａで測定して、ＯＣＶおよび電流相当値に基づいてバッテリーマイコン２５内の充電容量算出手段２５ｂにより充電容量値を算出してデータをテーブル２６に記憶するようにしている。
【００２０】
テーブル２６に精度の高い充電容量値のデータが記憶されているので、この充電容量値のデータ、つまり、残容量に基づいて、バッテリーマイコン２５は、充電容量値のデータが所定値よりも小さいときは、充放電切替回路２２の可動接点ｃを固定接点ａに接続することにより、バッテリーセル２３への充電動作を行わせ、また、充電容量値のデータが所定値よりも大きいときは、可動接点ｃを固定接点ｂに接続することにより、バッテリーセル２３から放電動作を行わせる。なお、充電動作は図１に示したノート型パーソナルコンピュータの本体側の駆動手段の動作を停止して行い、放電動作はノート型パーソナルコンピュータの本体側の駆動手段の動作を実行して行う。
なお、本体側の充電器２０内で充電容量算出を行う場合には、ＯＣＶに基づく充電容量値は本体側の充電器２０とバッテリー２１とのマイコン間で通信を介して、演算されるようになされている。なお、充電器２０は本体側に限らず外部に設けても良い。この場合には、ＯＣＶに基づく充電容量値は外部の充電器２０とバッテリー２１とのマイコン間で通信を介して、演算される。
【００２１】
以下に、所定タイミングでバッテリーセルのＯＣＶを測定して、充電容量算出を行う具体的な動作を説明する。
図３は、本実施の形態のバッテリーの動作を示すフローチャートである。図３において、ステップＳ１で、バッテリーマイコンは動作モードを判別する。ステップＳ２でバッテリーマイコンが充電容量算出を行うマイコンモードか否かを判断する。
【００２２】
ステップＳ２で充電容量算出を行うマイコンモードがアクティブのとき、ステップＳ３へ進み、充電容量算出のための各処理を行う。具体的には、充放電時の電流及び電圧値のみでの充電容量計算では、温度などの使用環境により誤差が生じてくるため、あるタイミングでバッテリーセルのＯＣＶを測定して、これを補正するようにしている。上述したように、図４に示すＯＣＶに対する容量値のデータ（基準値）をバッテリーマイコン２５内のテーブル２６に記憶する。
【００２３】
ステップＳ３で充電でも放電でもない状態がある時間経過したか否かを判断する。具体的には、所定タイミングで測定されたＯＣＶの値を基にして容量値のデータ（基準値）を算出して、テーブルに書き込むため、ＯＣＶの値が安定しているときに行う必要がある。つまり、充放電時のバッテリーセル２３の充電電流または充電電圧の変動のないときに行う必要がある。
【００２４】
例えば、図５に示す充電波形図において、充電終了直後（Ｔ１）におけるＯＣＶは充電時のセル電圧の変動の影響が激しいため、このときのＯＣＶの値を使って容量値のデータ（基準値）を算出して、テーブルに書き込みを行うと正確な容量値を得ることができない。この場合、充電終了後しばらく経って（Ｔ５）、セル電圧が安定した時点（Ｔ２）におけるＯＣＶの値を用いることでより正確な容量値を得ることができる。
【００２５】
また、例えば、図６に示す放電波形図において、放電終了直後（Ｔ３）におけるＯＣＶは放電時のセル電圧の変動の影響が激しいため、このときのＯＣＶの値を使って容量値のデータ（基準値）を算出して、テーブルに書き込みを行うと正確な容量値を得ることができない。この場合、放電終了後しばらく経って（Ｔ６）、セル電圧が安定した時点（Ｔ４）におけるＯＣＶの値を用いることでより正確な容量値を得ることができる。
【００２６】
ステップＳ３で充電時においてＴ２の時点または放電時においてＴ４の時点で、ステップＳ４へ進み、ステップＳ４でＯＣＶ測定を行う。具体的には、バッテリーマイコン２５のＯＣＶ測定手段２５ａは、安定したセル電圧におけるＯＣＶおよび電流相当値をＡ／Ｄ変換回路２４を介して測定する。
【００２７】
ステップＳ５で基準値の書き込みを行う。具体的には、バッテリーマイコン２５の充電容量算出手段２５ｂは、ＯＣＶおよび電流相当値に基づいて充電容量値（基準値）を算出してデータをテーブル２６に記憶する。
【００２８】
ステップＳ６でマイコンはパワーセーブモードへ移行する。具体的には、ＯＣＶを測定して充電容量値（基準値）の書き込みをした後は、バッテリーマイコン２５は充電容量算出を行うマイコンモードを終了して、待機状態のパワーセーブモードへ移行する。
【００２９】
また、ステップＳ２で待機状態のパワーセーブモードのとき、ステップＳ７へ進み、外部割り込みが入るまで待機する。ステップＳ７で外部割り込みが入ったときは、ステップＳ８へ進み、ステップＳ８でＯＣＶ測定を行う。次に、ステップＳ９で基準値の書き込みを行う。そして、ステップＳ１０でマイコンはアクティブモードへ移行する。具体的には、待機状態で放置されるパワーセーブ時間が長いと次第にバッテリーセルの容量が低下するため、パワーセーブモードからアクティブモードへの切替直前にもＯＣＶ計測を行い、これに基づいて容量値を算出する。これにより、長時間放置状態から使用開始された場合でも比較的正確な残容量を把握することができる。
【００３０】
このようにして、上述したタイミングでのみＯＣＶを測定して容量値を算出し、それ以外のタイミングではＯＣＶを用いないで容量値を算出することにより、より正確な容量値を得ることができる。
【００３１】
なお、上述した本実施の形態では、バッテリー２１内のバッテリーマイコン２５のＯＣＶ測定手段２５ａおよび充電容量算出手段２５ｂを用いてソフトウエア処理によりＯＣＶによる充電容量値算出を行う例を示したが、ＯＣＶ測定手段２５ａおよび充電容量算出手段２５ｂをカスタムＩＣなどのハードウエアにより構成して、ＯＣＶデータや電流データのＡ／Ｄ変換及び充電容量値算出などを一括して行うようにしても良い。このようにして、ハードウエアで構成することにより、演算が高速で行われるので、きめ細かなバッテリー制御が可能となる。
【００３２】
本実施の形態の充電装置は、充電量に基づいて外部の制御対象部を動作させる駆動手段に対して蓄積された電圧を供給する蓄電手段としてのバッテリー２１と、バッテリー２１を充電する充電手段としての充電器２０と、バッテリー２１の充電電流または充電電圧を測定することにより、充電器２０によるバッテリー２１への充電容量を算出する充電容量算出手段２５ｂと、バッテリー２１が電気的に開放されているときの電圧（ＯＣＶ）をＯＣＶ測定手段２５ａで測定してＯＣＶに対する、充放電時の充電電流または充電電圧の変動のないときの充電容量値のデータを記憶する記憶手段としてのテーブル２６とを備えたので、充放電時の充電電流または充電電圧の変動に影響されずに、蓄電手段の残容量をより正確に把握することができ、これにより、蓄電手段の使用終了時（バッテリーダウン）の残容量マージンを減らすことができ、蓄電手段の容量を最大限に引き出すことができ、また、蓄電手段の正確な残容量を表示等で知らせることにより信頼性を向上させることができる。
【００３３】
また、本実施の形態の充電方法は、充電量に基づいて外部の制御対象部を動作させる駆動手段に対して蓄電手段としてのバッテリー２１に蓄積された電圧を供給する蓄電ステップと、バッテリー２１を充電手段としての充電器２０により充電する充電ステップと、バッテリー２１の充電電流または充電電圧を測定することにより、充電器２０によるバッテリー２１への充電容量を算出する充電容量算出ステップと、バッテリー２１が電気的に開放されているときの電圧（ＯＣＶ）に対する、充放電時の充電電流または充電電圧の変動のないときの上記充電容量値のデータを記憶する記憶ステップとを備えたので、充放電ステップにおける充電電流または充電電圧の変動に影響されずに、蓄電手段の残容量をより正確に把握することができ、これにより、蓄電手段の使用終了時（バッテリーダウン）の残容量マージンを減らすことができ、蓄電手段の容量を最大限に引き出すことができ、また、蓄電手段の正確な残容量を表示等で知らせることにより信頼性を向上させることができる。
【００３４】
本実施の形態の電子機器は、充電量に基づいて制御対象部を動作させる駆動手段と、駆動手段に対して蓄積された電圧を供給する蓄電手段としてのバッテリー２１と、バッテリー２１を充電する充電手段としての充電器２０と、バッテリー２１の充電電流または充電電圧を測定することにより、充電器２０によるバッテリー２１への充電容量を算出する充電容量算出手段２５ｂと、バッテリー２１が電気的に開放されているときの電圧（ＯＣＶ）をＯＣＶ測定手段２５ａにより測定してＯＣＶに対する、充放電時の充電電流または充電電圧の変動のないときの充電容量値のデータを記憶する記憶手段としてのテーブル２６とを備えたので、充放電時の充電電流または充電電圧の変動に影響されずに、携帯型電子機器で要求される蓄電手段の残容量をより正確に把握することができ、これにより、蓄電手段の使用終了時（バッテリーダウン）の残容量マージンを減らすことができ、蓄電手段の容量を最大限に引き出すことができ、また、蓄電手段の正確な残容量を本体側で表示等で知らせることにより信頼性を向上させることができる。
【００３５】
上述した本実施の形態では、使用対象機器としてノート型パーソナルコンピュータに適用する場合について説明したが、蓄電池を用いる電子機器であれば、これに限らず、他の、電子機器、例えば、ビデオカメラ装置、携帯型電話機、ＰＨＳ（パーソナルハンディーフォン），ＰＯＳ（ポイントオブセールス）端末、リモートコントロール装置などに適用してもよい。
【００３６】
【発明の効果】
本発明の充電装置は、充電量に基づいて外部の制御対象部を動作させる駆動手段に対して蓄積された電圧を供給する蓄電手段と、上記蓄電手段を充電する充電手段と、上記蓄電手段の充電電流または充電電圧を測定することにより、上記充電手段による上記蓄電手段への充電容量を算出する充電容量算出手段と、上記蓄電手段が電気的に開放されているときの電圧に対する、充放電時の充電電流または充電電圧の変動のないときの上記充電容量値のデータを記憶する記憶手段とを備えたので、充放電時の充電電流または充電電圧の変動に影響されずに、蓄電手段の残容量をより正確に把握することができ、これにより、蓄電手段の使用終了時の残容量マージンを減らすことができ、蓄電手段の容量を最大限に引き出すことができ、また、蓄電手段の正確な残容量を表示等で知らせることにより信頼性を向上させることができるという効果を奏する。
【００３７】
また、本発明の充電方法は、充電量に基づいて外部の制御対象部を動作させる駆動手段に対して蓄電手段に蓄積された電圧を供給する蓄電ステップと、上記蓄電手段を充電手段により充電する充電ステップと、上記蓄電手段の充電電流または充電電圧を測定することにより、上記充電手段による上記蓄電手段への充電容量を算出する充電容量算出ステップと、上記蓄電手段が電気的に開放されているときの電圧に対する、充放電時の充電電流または充電電圧の変動のないときの上記充電容量値のデータを記憶する記憶ステップとを備えたので、充放電ステップにおける充電電流または充電電圧の変動に影響されずに、蓄電手段の残容量をより正確に把握することができ、これにより、蓄電手段の使用終了時の残容量マージンを減らすことができ、蓄電手段の容量を最大限に引き出すことができ、また、蓄電手段の正確な残容量を表示等で知らせることにより信頼性を向上させることができるという効果を奏する。
【００３８】
また、本発明の電子機器は、充電量に基づいて制御対象部を動作させる駆動手段と、上記駆動手段に対して蓄積された電圧を供給する蓄電手段と、上記蓄電手段を充電する充電手段と、上記蓄電手段の充電電流または充電電圧を測定することにより、上記充電手段による上記蓄電手段への充電容量を算出する充電容量算出手段と、上記蓄電手段が電気的に開放されているときの電圧に対する、充放電時の充電電流または充電電圧の変動のないときの上記充電容量値のデータを記憶する記憶手段とを備えたので、充放電時の充電電流または充電電圧の変動に影響されずに、携帯型電子機器で要求される蓄電手段の残容量をより正確に把握することができ、これにより、蓄電手段の使用終了時の残容量マージンを減らすことができ、蓄電手段の容量を最大限に引き出すことができ、また、蓄電手段の正確な残容量を本体側で表示等で知らせることにより信頼性を向上させることができるという効果を奏する。
【図面の簡単な説明】
【図１】本発明の実施の形態のノート型パーソナルコンピューターを示す外観斜視図である。
【図２】本発明の実施の形態のバッテリーおよび充電器の構成を示すブロック図である。
【図３】本発明の実施の形態のバッテリーの動作を示すフローチャートである。
【図４】本発明の実施の形態のＯＣＶに対する容量値の特性を示す図である。
【図５】本発明の実施の形態の充電時のセル電圧を示す波形図である。
【図６】本発明の実施の形態の放電時のセル電圧を示す波形図である。
【符号の説明】
１……本体、２……キーボード、３……ディスプレイ、４……バッテリーパック、５……バッテリーパック、６……電源スイッチ、７……電源ランプ、８……バッテリーランプ、９……ＤＣ入力端子、１０……ＡＣアダプター、１１……ＤＣ出力コード、１２……プラグ、１３……コンセント、２０……充電器、２１……バッテリー、２２……充放電切替回路、２３……バッテリーセル、２４……Ａ／Ｄ変換回路、２５……バッテリーマイコン、２６……テーブル、２５ａ……ＯＣＶ測定手段、２５ｂ……充放電容量算出手段、
【図１】
0004081909.tif 000002
【図２】
0004081909.tif 000003
【図３】
0004081909.tif 000004
【図４】
0004081909.tif 000005
【図５】
0004081909.tif 000006
【図６】
0004081909.tif 000007